(57)【要約】【課題】室内側および室外側において光量も含めて点灯及び消灯の制御を行うことが可能な照明部を有する戸体を提供すること。【解決手段】一側と他側とにおいてそれぞれ独立して点灯及び消灯可能であり、一側と他側とにおいてそれぞれ独立して光を放出可能な照明部と、照明部の点灯及び消灯の制御を行う制御部と、一側と他側とのそれぞれの側において人の存在を検知する人感センサと、を備え、制御部は、人感センサによって、一側と他側との少なくとも一方の側において戸体に人が接近してきたことが検知されたときに（Ｓ１０１：ＹＥＳ）、照明部を点灯させる制御を照明部に対して行う（Ｓ１０２）戸体である。【選択図】図７
2020105829.tif 000002
【特許請求の範囲】
【請求項１】
一側と他側とを仕切る戸体であって、
前記一側と前記他側とにおいてそれぞれ独立して点灯及び消灯可能であり、前記一側と前記他側とにおいてそれぞれ独立して光を放出可能な照明部と、
前記照明部の点灯及び消灯の制御を行う制御部と、
前記一側と前記他側とのそれぞれの側において人の存在を検知する人感センサと、を備え、
前記制御部は、前記人感センサによって、前記一側と前記他側との少なくとも一方の側において前記戸体に人が接近してきたことが検知されたときに、前記照明部を点灯させる制御を前記照明部に対して行う戸体。
【請求項２】
前記制御部は、前記照明部を点灯させる制御を前記照明部に対して行った後に、前記人感センサによって、前記照明部を点灯させた側において人の存在が検知されなくなってから所定時間経過後に前記照明部を消灯させる制御を照明部に対して行う請求項１に記載の戸体。
【請求項３】
前記戸体が閉じた状態を検知可能な開閉センサを備え、
前記制御部は、前記開閉センサによって、前記戸体が開いた状態から閉じた状態になろうとするときに、一時的に前記照明部を明るく照明する請求項１又は請求項２に記載の戸体。
【発明の詳細な説明】
【技術分野】
【０００１】
本発明は、照明部を備える戸体に関する。
【背景技術】
【０００２】
従来より、建材に照明を組み込む技術は存在し、人体検知センサ等のセンサに基づいて、ＬＥＤ（発光ダイオード）等の発光素子を有する照明部の照明の制御を行う照明ユニットが知られている（例えば、特許文献１参照）。特許文献１に記載されている照明ユニットでは、室外のドア上部において、人体感知センサと、照明としてのＬＥＤを配置し、人体検知センサによる人体の検知に基づき、光源の点灯及び消灯を行っている。
【先行技術文献】
【特許文献】
【０００３】
【特許文献１】特開２０１４−１３４００５号公報
【発明の概要】
【発明が解決しようとする課題】
【０００４】
上記公報に記載された照明ユニットにおいては、戸体の開き方等について検知しておらず、人が近づいたら一定量の光量で光るだけである。このため、たとえば室内において、光量の制御等も含めて点灯及び消灯の制御を行いたい等の場合には、上記公報の装置を適用して用いることはできない。また、室外側のみにＬＥＤが配置されている構成であるため、室内側における点灯はできない。
【０００５】
本発明は、室内側および室外側において光量も含めて点灯及び消灯の制御を行うことが可能な照明部を有する戸体を提供することを目的とする。
【課題を解決するための手段】
【０００６】
本発明は、一側と他側とを仕切る戸体（例えば、後述の戸体１）であって、前記一側と前記他側とにおいてそれぞれ独立して点灯及び消灯可能であり、前記一側と前記他側とにおいてそれぞれ独立して光を放出可能な照明部（例えば、後述の照明部５０）と、前記照明部の点灯及び消灯の制御を行う制御部（例えば、後述の制御部１０５１）と、前記一側と前記他側とのそれぞれの側において人の存在を検知する人感センサ（例えば、後述の人感センサ１０２）と、を備え、前記制御部は、前記人感センサによって、前記一側と前記他側との少なくとも一方の側において前記戸体に人が接近してきたことが検知されたときに、前記照明部を点灯させる制御を前記照明部に対して行う戸体に関する。
【０００７】
また、前記制御部は、前記照明部を点灯させる制御を前記照明部に対して行った後に、前記人感センサによって、前記照明部を点灯させた側において人の存在が検知されなくなってから所定時間経過後に前記照明部を消灯させる制御を照明部に対して行うことが好ましい。
【０００８】
また、前記戸体が閉じた状態を検知可能な開閉センサ（例えば、後述のリードスイッチ１０１）を備え、前記制御部は、前記開閉センサによって、前記戸体が開いた状態から閉じた状態になろうとするときに、一時的に前記照明部を明るく照明することが好ましい。
【発明の効果】
【０００９】
本発明によれば、室内側および室外側において光量も含めて点灯及び消灯の制御を行うことが可能な照明部を有する戸体を提供することを目的とする。
【図面の簡単な説明】
【００１０】
【図１】第１実施形態による戸体を示す正面図である。
【図２】第１実施形態による戸体を示す拡大分解斜視図である。
【図３】第１実施形態による戸体を示す拡大断面図である。
【図４】図１の二点鎖線Ａで囲った部分の拡大図である。
【図５】第１実施形態による戸体の照明部により照明を行う制御のための構成を示すブロック図である。
【図６】第１実施形態による戸体におけるセンサ等の位置を説明するための説明図である。
【図７】第１実施形態による戸体の照明部により照明を行う基本的な制御を示すフローチャートである。
【図８】第１実施形態による戸体の開閉をリードスイッチにより検知したときの制御を示すフローチャートである。
【図９】第１実施形態による戸体におけるタイマ割り込みの制御を示すフローチャートである。
【図１０】第１実施形態による戸体において人感センサにより人を検知したときの制御を示すフローチャートである。
【図１１】第１実施形態による戸体において上下方向における人感センサによる人の検知を説明するための説明図である。
【図１２】第１実施形態による戸体において水平方向における人感センサによる人の検知を説明するための説明図である。
【図１３】第１実施形態による戸体におけるＬＥＤの点灯及び消灯の様子を説明するための説明図である。
【図１４】第２実施形態による戸体を示す拡大断面図である。
【図１５】第３実施形態による戸体を示す拡大断面図である。
【図１６】第４実施形態による戸体を示す拡大断面図である。
【図１７】第５実施形態による戸体を示す拡大断面図である。
【発明を実施するための形態】
【００１１】
以下、建物に形成された躯体開口部の内部に設けられ、開閉可能な戸体１を本発明の第１実施形態として説明する。
【００１２】
図１は、戸体１を示す正面図である。図２は、戸体１を示す拡大分解斜視図である。図３は、戸体１を示す拡大断面図である。図４は、図１の二点鎖線Ａで囲った部分の拡大図である。
【００１３】
戸体１は、図示しない枠体において移動可能な引き戸である。
戸体１は、框体４０と、框体４０の内部に嵌め込まれるガラスパネル４５と、を備える。框体４０は、上框４１と、下框４２と、戸尻框４３と、戸先框４４と、を框組みすることで構成される。
【００１４】
戸先框４４は、アルミニウムを押し出し成型することによって形成され、戸体１において戸先側に配置されており、戸先框４４には、把手としてのハンドル４４１が固定されて設けられている。また、戸先框４４には、照明部５０（図３等参照）が設けられている。
【００１５】
具体的には、室外側と室内側とを結ぶ方向（図３の上下方向）における戸先框４４の中央部は、戸尻方向へ向って開口するガラスパネル支持凹部４４３が形成されている。ガラスパネル支持凹部４４３には、ガラスパネル４５の戸先側の端部が、バックアップ材４５１を介して挿入されて支持されている。
【００１６】
ガラスパネル支持凹部４４３の室外側及び室内側には、戸先側（図３の左方向）へ向って開口する照明部収容凹部４４５が形成されている。照明部収容凹部４４５の戸先側には、アルミニウムを押し出し成型することによって形成されたカバー材４４６が、照明部収容凹部４４５を覆うように設けられ戸先框４４に固定されている。
【００１７】
戸先框４４の室外側の壁部４４０５と、カバー材４４６の室外側の壁部４４６１との間、戸先框４４の室内側の壁部４４０６と、カバー材４４６の室内側の壁部４４６２との間には、それぞれ隙間４４０１、４４０２が形成されている。隙間４４０１、４４０２は、それぞれ戸先框４４の上端部から下端部に至るまで形成されている。カバー材４４６により覆われた照明部収容凹部４４５における、隙間４４０１、４４０２の内側には、アクリル板５３が貼り付けられて固定されている。アクリル板５３は、乳白色を有しており、隙間４４０１、４４０２の上端部から下端部に至るまで延びて設けられている。アクリル板５３の戸尻側の端部は、壁部４４０５、壁部４４０５の内側に形成された段部に当接し、アクリル板５３の戸先側の端部は、カバー材４４６の戸先側壁部４４６３の内面に当接している。アクリル板５３に代えてガラス板が用いられてもよい。
【００１８】
戸先框４４の戸尻側の壁部４４０７の内面には、発光素子としてのＬＥＤ５１（発光ダイオード）を有するＬＥＤ照明基板５２が固定されている。ＬＥＤ５１は、ＬＥＤ照明基板５２上、即ち、ＬＥＤ照明基板５２の戸先側の面上に固定されており、照明部収容凹部４４５に配置されている。ＬＥＤ照明基板５２は、戸先框４４の壁部４４０５、４４０６の上端部から下端部に至るまで一直線状に複数設けられており、後述の制御部１０５１による制御により、予め設定された点灯方法により、複数のＬＥＤ５１を一直線状に点灯させることが可能である。
【００１９】
２つのＬＥＤ５１の中央位置における戸先框４４の部分は、ガラスパネル支持凹部４４３を形成し、室外側の照明部収容凹部４４５と室内側の照明部収容凹部４４５とを区画する区画壁４４０９を構成する。
【００２０】
照明部収容凹部４４５を取り囲んで形成している壁部４４０５の内面、壁部４４０６の内面、壁部４４０７の内面、カバー材４４６の壁部４４６１の内面、壁部４４６２の内面、戸先側壁部４４６３の内面は、ＬＥＤ照明基板５２上のＬＥＤ５１に対向する対向面を構成しており、ＬＥＤ５１の光が効果的に反射する白色に塗装されている。
【００２１】
アクリル板５３、及び、ＬＥＤ５１を有するＬＥＤ照明基板５２は、照明部５０を構成する。ＬＥＤ５１の発光による光は、前述のように白色に塗装されたＬＥＤ５１の対向面により反射されてアクリル板５３に入射する。アクリル板５３に入射した光は、隙間４４０１、４４０２から、戸体１の一側としての室外側と、戸体１の他側としての室内側と、において光を放出可能である。
【００２２】
また、戸体１は、図５に示すように、リードスイッチ１０１と、人感センサ１０２と、電源（電池）１０４と、制御基板１０５と、を備えている。
図５は、戸体１の照明部５０により照明を行う制御のための構成を示すブロック図である。図６は、戸体１におけるセンサ等の位置を説明するための説明図である。
図６に示すように、リードスイッチ１０１は、上框４１における戸先側の部分に設けられており、戸体１が開かれているか否かを検知する。
人感センサ１０２は、戸先框４４の上下方向における中央部と上端部との間の部分に設けられており、戸体１の室外側と室内側とのそれぞれにおける戸体１の近傍に人がいるか否かを検知する。具体的には、人感センサ１０２は、図４に示すように、戸体１の室外側と室内側とのそれぞれの戸先框４４の壁部４４０５、壁部４４０６に形成された孔の内部にそれぞれ設けられており、孔を通して、戸体１の近傍に人がいるか否かを検知する。
【００２３】
電源１０４は、乾電池等を有し、上框４１の戸尻寄りの部分に設けられており、電源１０４上の制御部１０５１（ＣＰＵ）等に直流の電気を供給する。
制御基板１０５は、上框４１における戸尻框４３と戸先框４４との略中央部分に設けられており、制御基板１０５には制御部１０５１としてのＣＰＵと、ＬＥＤ５１を駆動するためのＬＥＤドライバーが記憶されている記憶装置１０５２と、電源１０４からの電圧を降圧するＤＣ／ＤＣコンバータ１０５３とが設けられている。制御部１０５１には、リードスイッチ１０１と、人感センサ１０２と、ＬＥＤ５１とが電気的に接続されている。制御部１０５１は、リードスイッチ１０１、及び、人感センサ１０２からの検知信号に基づいて、ＬＥＤ５１の点灯及び消灯の制御を行う。
【００２４】
次に、制御部１０５１によるＬＥＤ５１の点灯及び消灯の制御について説明する。
図７は、戸体１の照明部５０により照明を行う基本的な制御を示すフローチャートである。図８は、戸体１の開閉をリードスイッチ１０１により検知したときの制御を示すフローチャートである。図９は、戸体１におけるタイマ割り込みの制御を示すフローチャートである。図１０は、戸体１において人感センサ１０２により人を検知したときの制御を示すフローチャートである。図１１は、戸体１において上下方向における人感センサ１０２による人の検知を説明するための説明図である。図１２は、戸体１において水平方向における人感センサ１０２による人の検知を説明するための説明図である。図１３は、戸体１におけるＬＥＤ５１の点灯及び消灯の様子を説明するための説明図である。
【００２５】
先ず、基本的な制御について説明する。基本的な制御においては、図１３に示すように、制御部１５０１は、ＬＥＤを徐々に明るくなるように点灯させ、最も明るく点灯させた後に消灯させる制御を、ＬＥＤに対して行う。
図７に示すように、ステップＳ１０１において、制御部１０５１は、室外側又は室内側において戸体１の近傍に人がいるか否かを判断する。室外側又は室内側において戸体１の近傍に人がいると制御部１０５１が判断した場合には（ＹＥＳ）、制御部１０５１による処理は、ステップＳ１０２へ進む。室外側又は室内側において戸体１の近傍に人がいないと制御部１０５１が判断した場合には（ＮＯ）、制御部１０５１による処理は、ステップＳ１０１へ戻る。
【００２６】
ここで、人感センサ１０２の検知に基づく、戸体１の近傍に人がいるか否かの制御部１０５１による判断は、図１２において二点鎖線で示す範囲内において、戸体１に対して接近してきたか否かを判断することにより行う。即ち、１ｍ程度以上の身長を有する人（子供以上の人間）が、図１２に示す二点鎖線の範囲において、戸体１に対して２ｍ以内の位置に至り、更に、戸体１に対して１．５ｍ以内の位置に至るまで戸体１に接近してきた場合に、制御部１０５１は、戸体１の近傍に人がいると判断する。従って、戸体１に近い戸体１の下側の位置であって、図１１に示す二点鎖線よりも下側の戸体１寄りの位置においては検知しないため、子犬等の小動物が戸体１に接近した場合には、人感センサ１０２には検知されない。
【００２７】
ステップＳ１０２において、制御部１０５１は、ＰＷＭ制御による２０％の輝度で、ＬＥＤ５１を点灯させる。そして制御部１０５１による処理は、ステップＳ１０３へ進む。
【００２８】
ステップＳ１０３において、制御部１０５１は、ＰＷＭ制御により１秒間遅延を発生させて１％輝度を増加させる。そして制御部１０５１による処理は、ステップＳ１０４へ進む。
【００２９】
ステップＳ１０４において、制御部１０５１は、ＰＷＭ制御による６０％の輝度で、ＬＥＤ５１を点灯している状態になっているか否かを判断する。ＰＷＭ制御による６０％の輝度で、ＬＥＤ５１を点灯している状態になっていると制御部１０５１が判断した場合には（ＹＥＳ）、制御部１０５１による処理は終了する。未だＰＷＭ制御による６０％の輝度で、ＬＥＤ５１を点灯している状態になっていないと制御部１０５１が判断した場合には（ＮＯ）、制御部１０５１による処理は、ステップＳ１０３へ戻る。以上が、制御部１０５１による基本的な制御である。
【００３０】
次に、戸体１の開閉をリードスイッチ１０１により検知したときの制御について説明する。この制御は、戸体１が開かれた状態から戸体１が閉められることより、又は、戸体１が閉じられた状態から戸体１が開かれることより、リードスイッチ１０１がＯＦＦからＯＮへ、又は、ＯＮからＯＦＦへ切り換るときの制御である。
図８に示すように、ステップＳ２０１において、制御部１０５１は、リードスイッチ１０１による検知があるか否か、すなわち、リードスイッチ１０１がＯＦＦからＯＮへ、又は、ＯＮからＯＦＦへ切り換ったことの検知があるか否かを判断する。リードスイッチ１０１による検知がある場合には（ＹＥＳ）、制御部１０５１による処理は、ステップＳ２０２へ進む。リードスイッチ１０１による検知がない場合には（ＮＯ）、制御部１０５１による処理は、ステップＳ２０１へ戻る。
【００３１】
ステップＳ２０２において、制御部１０５１は、ＰＷＭ制御により１秒間遅延を発生させて１％輝度を増加させる。そして制御部１０５１による処理は、ステップＳ２０３へ進む。
【００３２】
ステップＳ２０３おいて、制御部１０５１は、ＰＷＭ制御による８０％の輝度で、ＬＥＤ５１を点灯している状態になっているか否かを判断する。ＰＷＭ制御による８０％の輝度で、ＬＥＤ５１を点灯している状態になっていると制御部１０５１が判断した場合には（ＹＥＳ）、制御部１０５１による処理は終了する。未だＰＷＭ制御による８０％の輝度で、ＬＥＤ５１を点灯している状態になっていないと制御部１０５１が判断した場合には（ＮＯ）、制御部１０５１による処理は、ステップＳ２０２へ戻る。以上が、戸体１の開閉をリードスイッチ１０１により検知したときの制御である。
【００３３】
次に、戸体１におけるタイマ−割り込みの制御について説明する。タイマ−割り込みの制御においては、図１３に示すように、制御部１５０１は、ＬＥＤを徐々に明るくなるように点灯させ、最も明るく点灯させた後に消灯させる制御のうちの、ＬＥＤが最も明るく点灯した後に消灯させるまでの制御を、ＬＥＤに対して行う。タイマ−割り込みの制御は、前述の基本的な制御によりＬＥＤが点灯した状態で戸体１が開かれた後に所定時間（例えば、２秒）経過後に割り込みが入りスタートする。
図９に示すように、ステップＳ３０１において、制御部１０５１は、ＬＥＤ５１が点灯している状態か否かを判断する。ＬＥＤ５１が点灯している状態であると判断した場合には（ＹＥＳ）、制御部１０５１による処理は、ステップＳ３０２へ進む。ＬＥＤ５１が点灯していない状態であると判断した場合には（ＮＯ）、制御部１０５１による処理は、ステップＳ３０１へ戻る。
【００３４】
ステップＳ３０２において、制御部１０５１は、Ｔ１を０に初期化して、Ｔ１のタイマーカウントをスタートさせる。そして制御部１０５１による処理は、ステップＳ３０３へ進む。
【００３５】
ステップＳ３０３おいて、制御部１０５１は、タイマーカウントが２０００ｍｓ以上になったか否かを判断する。タイマーカウントが２０００ｍｓ以上になったと判断した場合には（ＹＥＳ）、制御部１０５１による処理はステップＳ３０４へ進む。未だタイマーカウントが２０００ｍｓ以上になっていないと判断した場合には（ＮＯ）、制御部１０５１による処理は、ステップＳ３０３へ戻る。
【００３６】
ステップＳ３０４において、制御部１０５１は、ＰＷＭ制御による０％の輝度となるように、即ち、全てのＬＥＤ５１を消灯するように電源１０４に対して制御を行う。そして制御部１０５１による処理は終了する。以上が、戸体１におけるタイマ−割り込みの制御である。
【００３７】
次に、戸体１において人感センサ１０２により人を検知したときの制御を説明する。この制御は、図１２に示す二点鎖線の範囲内において戸体１に対して人Ｐが接近してきた場合ではなく、人Ｐが戸体１に沿って移動してきて、突然図１２に示す二点鎖線の範囲内に入ったときに制御部１０５１が行う制御である。
ステップＳ４０１において、制御部１０５１は、戸体１から人Ｐまでの距離が２ｍ以内か否かを判断する。戸体１から人Ｐまでの距離が２ｍ以内であると判断した場合には（ＹＥＳ）、制御部１０５１による処理は、ステップＳ４０２へ進む。戸体１から人Ｐまでの距離が２ｍを超えると判断した場合には（ＮＯ）、制御部１０５１による処理は、ステップＳ４０１へ戻る。
【００３８】
ここで、人感センサ１０２の検知に基づく制御部１０５１による判断は、図１２において二点鎖線で示す範囲外（二点鎖線で示す範囲の右側）から二点鎖線で示す範囲に入ってきたか否かを判断することにより行う。即ち、１ｍ程度以上の身長を有する人（子供以上の人間）が、戸体１に沿って移動してきて、戸体１に対して所定の距離（ステップＳ４０１では２ｍ）以内の位置において二点鎖線で示す範囲に入ってきた場合に、制御部１０５１は、戸体１の近傍に人がいると判断する。従って、戸体１に近い戸体１の下側の位置であって、図１１に示す二点鎖線よりも戸体１寄りの位置においては検知しないため、子犬等の小動物が戸体１に接近した場合には、人感センサ１０２には検知されない。
また、戸体１に沿って戸体１の近傍を戸体１の戸尻側から戸先側へ移動してきた人については、所定時間（例えば１秒程度）人の検出が持続した場合にのみ、制御部１０５１は戸体１の近傍に人がいると判断する。この判断については、屋外側、屋内側における人感センサ１０２の検知に基づく制御部１０５１による判断について同様である。また、後述のステップＳ４０２においても同様である。
【００３９】
ステップＳ４０２において、制御部１０５１は、戸体１から人Ｐまでの距離が１．５ｍ以内か否かを判断する。戸体１から人Ｐまでの距離が１．５ｍ以内であると判断した場合には（ＹＥＳ）、制御部１０５１による処理は、ステップＳ４０３へ進む。戸体１から人Ｐまでの距離が１．５ｍを超えると判断した場合には（ＮＯ）、制御部１０５１による処理は、ステップＳ４０４へ進む。
【００４０】
ステップＳ４０２において、制御部１０５１は、Ｔ２を０に初期化して、Ｔ２のタイマーカウントをスタートさせる。そして制御部１０５１による処理は、ステップＳ４０５へ進む。
【００４１】
ステップＳ４０５おいて、制御部１０５１は、タイマーカウントが１０００ｍｓ以上になったか否かを判断する。タイマーカウントが１０００ｍｓ以上になったと判断した場合には（ＹＥＳ）、制御部１０５１による処理はステップＳ４０７へ進む。未だタイマーカウントが１０００ｍｓ以上になっていないと判断した場合には（ＮＯ）、制御部１０５１による処理は、ステップＳ４０５へ戻る。
【００４２】
ステップＳ４０７において、制御部１０５１は、戸体１から人Ｐまでの距離が１．５ｍ以内か否かを判断する。戸体１から人Ｐまでの距離が１．５ｍ以内であると判断した場合には（ＹＥＳ）、制御部１０５１による処理は、ステップＳ４０８へ進む。戸体１から人Ｐまでの距離が１．５ｍを超えると判断した場合には（ＮＯ）、制御部１０５１による処理は終了する。
【００４３】
また、ステップＳ４０４において、制御部１０５１は、距離の検知を開始する。即ち、戸体１から人Ｐまでの距離Ｓが２．０ｍにおける距離の検知を開始する。そして制御部１０５１による処理は、ステップＳ４０６へ進む。
【００４４】
ステップＳ４０６において、制御部１０５１は、戸体１から人Ｐまでの距離が１．５ｍ以内か否かを判断する。戸体１から人Ｐまでの距離が１．５ｍ以内であると判断した場合には（ＹＥＳ）、制御部１０５１による処理は、ステップＳ４０８へ進む。戸体１から人Ｐまでの距離が１．５ｍを超えると判断した場合には（ＮＯ）、制御部１０５１による処理は終了する。
【００４５】
ステップＳ４０８において、制御部１０５１は、ＰＷＭ制御による２０％の輝度で、ＬＥＤ５１を点灯させる。そして制御部１０５１による処理は終了する。
以上が、戸体１において人感センサ１０２により人を検知したときの制御である。
【００４６】
以上説明した実施形態によれば、以下のような効果を奏する。
本実施形態では、一側としての室外側と他側としての室内側とを仕切る戸体１は、室外側と室内側とにそれぞれ光を放出可能な照明部５０を備え、照明部５０は、室外側に光を照射可能な一側発光素子としてのＬＥＤ５１と、室内側に光を照射可能な他側発光素子としてのＬＥＤ５１と、一側発光素子としてのＬＥＤ５１からの光が室内側に放出されないようにするとともに、他側発光素子としてのＬＥＤ５１からの光が室外側に放出されないように、一側発光素子としてのＬＥＤ５１と他側発光素子としてのＬＥＤ５１とを収容する発光素子収容部としての戸先框４４を備える。
【００４７】
これにより、室外側、室内側の一方のみにＬＥＤ５１の光を放出することが可能となり、室外側と室内側とを個別に点灯、消灯をコントロールすることが可能となる。即ち、室外側と室内側との両方を点灯又は消灯したり、室外側と室内側とのいずれか一方を点灯させ、他方を消灯したりすることが可能となる。また、このように点灯、消灯をコントロールすることが可能とする構成を比較的簡単な構成で、デザイン性の高い框の細い戸体構造を実現することが可能となる。
【００４８】
また、発光素子収容部を構成する戸先框４４は、一側としての室外側に形成された一側室としての室外側の照明部収容凹部４４５と、他側としての室内側に形成された他側室としての室内側の照明部収容凹部４４５を区画する区画壁４４０９を構成する。そして１つのＬＥＤ５１は室外側の照明部収容凹部４４５に収容され、他のＬＥＤ５１は室内側の照明部収容凹部４４５に収容されている。これにより、室外側の照明部収容凹部４４５のＬＥＤ５１の光が室内側に放出されたり、室内側の照明部収容凹部４４５のＬＥＤ５１の光が室外側に放出されたりすることを防止することが可能となる。
【００４９】
また、発光素子収容部は、収容部本体としての戸先框４４と、収容部本体と共に一側室及び他側室を形成するカバー材４４６と、を備え、ＬＥＤ５１に対向するカバー材の対向面は、白色に塗装されている。これによりＬＥＤ５１からの光を、効果的にアクリル板５３及び隙間４４０１を通して室外側、室内側へ放出することが可能となる。
【００５０】
また、ＬＥＤ５１を収容する発光素子収容部は、一側室としての室外側の照明部収容凹部４４５の外部にＬＥＤ５１の光を放出するための一側光透過部材と、室内側の照明部収容凹部４４５の外部にＬＥＤ５１の光を放出するための他側光透過部材とを有し、一側光透過部材、他側光透過部材は、それぞれアクリル板５３又はガラス板により構成される。これにより、ＬＥＤ５１の光を、効果的に広げて、室外側、室内側にそれぞれ適度に放出することが可能となる。
【００５１】
また、ＬＥＤ５１を収容する発光素子収容部は、戸体１を構成するガラスパネル４５の周縁部を支持する。これにより、ガラスパネル４５の周縁部を支持する戸先框４４を、ＬＥＤ５１を収容する発光素子収容部として利用することで、デザイン性の高い框の細い戸体構造を実現することが可能となる。
【００５２】
また、本実施形態においては、一側としての室外側と他側としての室内側とを仕切る戸体１は、室外側と室内側とにおいてそれぞれ独立して点灯及び消灯可能であり、室外側と室内側とにおいてそれぞれ独立して光を放出可能な照明部５０と、照明部５０の点灯及び消灯の制御を行う制御部１０５１と、室外側と室内側とのそれぞれの側において人の存在を検知する人感センサ１０２と、を備え、制御部１０５１は、人感センサ１０２によって、室外側と室内側との少なくとも一方の側において戸体１に人が接近してきたことが検知されたときに、照明部５０を点灯させる制御を照明部５０に対して行う。これにより、室外側、室内側の一方のみ、又は、両方において、光量の制御等も含めて点灯及び消灯の制御を行うことが可能となる。
【００５３】
従って、例えば、室外側である廊下側におい人が戸体１に接近してきた場合には、室外側においてはＬＥＤ５１が点灯することが要求されるが、室内側において睡眠している人がいる場合には、室内側においてはＬＥＤ５１が点灯しないことが好ましいが、このような要求に対しても光量の制御等も含めて点灯及び消灯の制御を行うことが可能となる。この結果、照明制御を調整することができ、自然な照明演出を行うことができる。
【００５４】
また、制御部１０５１は、照明部５０を点灯させる制御を照明部５０に対して行った後に、人感センサ１０２によって、照明部５０を点灯させた側において人の存在が検知されなくなってから所定時間経過後に照明部５０を消灯させる制御を照明部５０に対して行う。これにより、人が戸体１の近傍にいないにもかかわらず、ＬＥＤ５１が無駄に点灯し続けることを防止することが可能となる。
【００５５】
また、戸体１が閉じた状態を検知可能な開閉センサとしてのリードスイッチ１０１を備え、制御部１０５１は、リードスイッチ１０１によって、戸体１が開いた状態から閉じた状態になろうとするときに、一時的に照明部５０を明るく照明する。これにより、暗い室内において、戸体１が閉じるタイミングを人に認識させることが可能となり、勢いよく戸体１を閉じることを抑えるように人に意識をさせることが可能となる。
【００５６】
次に、第２本実施形態による戸体１Ａについて説明する。
図１４は、戸体１Ａを示す拡大断面図である。
戸体１Ａは、ガラスパネル４５を有しておらず、戸尻芯材４３と戸先芯材４４との中間の部分に戸先寄り中間部芯材４７と戸尻寄り中間部芯材４８とを有している。戸先寄り中間部芯材４７と戸尻寄り中間部芯材４８との間には、Ｈ字形状を有する区画壁６３が設けられている。区画壁６３の室外側には、図１４に示すように、断面形状がＣ字形状に形成され開口６１６を有する室外側室形成部６１と、断面形状がＣ字形状に形成され開口６２６を有する室内側室形成部６２とが設けられている。
【００５７】
室外側室形成部６１の底壁６１０１には、ＬＥＤ５１が実装されたＬＥＤ照明基板５２が固定されている。同様に、室内側室形成部６２の底壁６２０１には、ＬＥＤ５１が実装されたＬＥＤ照明基板５２が固定されている。
【００５８】
次に、第３本実施形態による戸体１Ｂについて説明する。
図１５は、戸体１Ｂを示す拡大断面図である。
戸体１Ｂは、ガラスパネル４５を有しておらず、ガラスパネル支持凹部４４３を有していない戸先芯材４４Ｂの戸先側に、Ｈ字形状を有する区画壁６３が設けられている。区画壁６３の室外側には、図１５に示すように、上方向に開口し断面が図１５に示すようにコの字形状の室外側室形成部６１によって室外側室６３０１が形成され、また、区画壁６３の室内側には、下方向に開口し断面が図１５に示すようにコの字形状の室内側室形成部６２によって室内側室６３０２が形成されている。
【００５９】
室外側室６３０１内であって室外側室形成部６１の中央には、ＬＥＤ５１が実装されたＬＥＤ照明基板５２が固定されている。同様に、室内側室６３０２内であって室内側室形成部６２の中央には、ＬＥＤ５１が実装されたＬＥＤ照明基板５２が固定されている。室外側室形成部６１の開口、室内側室形成部６２の開口には、当該開口を塞ぐようにしてアクリル板５３Ｂが、戸先芯材４４Ｂの室外側の端面、室内側の端面とそれぞれ面一の位置関係で嵌め込まれている。
【００６０】
次に、第４本実施形態による戸体１Ｃについて説明する。
図１６は、戸体１Ｃを示す拡大断面図である。
戸体１Ｃにおいては、下框４２Ｃに照明部を構成するＬＥＤ５１が設けられている。具体的には、下框４２Ｃには、下方向へ開口する凹部が室外側寄りの部分と室内側寄りの部分とにそれぞれ形成されており、凹部の上部には、下方向に開口し断面が図１６に示すようにコの字形状の室外側室形成部６１、室内側室形成部６２がそれぞれ固定されている。凹部の下端部の開口には、開口を塞ぐようにしてアクリル板５３Ｃが固定されて嵌め込まれている。
【００６１】
室外側室形成部６１、室内側室形成部６２の上壁の下面には、ＬＥＤ５１が実装されたＬＥＤ照明基板５２が固定されている。室外側のアクリル板５３Ｃと室内側のアクリル板５３Ｃとの間の下框４２Ｃの部分は、室外側でＬＥＤ５１が収納された室外側の室と、室内側でＬＥＤ５１が収納された室内側の室とを区画する区画壁４２０１Ｃを構成する。以上の構成により、ＬＥＤ５１の発光による光は、室外側、室内側のそれぞれにおいて、下框４２Ｃと図示しない下枠との間の僅かな隙間から、室外側、室内側のそれぞれにおいて放出される。
【００６２】
次に、第５本実施形態による戸体１Ｄについて説明する。
図１７は、戸体１Ｄを示す拡大断面図である。
戸体１Ｄにおいては、第４実施形態と同様に、下框４２Ｄに照明部を構成するＬＥＤ５１が設けられている。具体的には、下框４２Ｄには、下方向へ開口する凹部が形成されている。室外側と室内側とを結ぶ方向における凹部の中央位置に、上方向に開口するコの字形状の区画壁４２０１Ｄが設けられており、その両側には、下方向に開口し断面が図１７に示すようにコの字形状の室外側室形成部６１、室内側室形成部６２がそれぞれ固定されている。
【００６３】
室外側室形成部６１、室内側室形成部６２の下端部には、開口を塞ぐようにしてアクリル板５３Ｄが固定されて嵌め込まれている。アクリル板５３Ｄは、室外側、室内側から視認可能に下框４２Ｄにおいて最も下側の位置にあり、アクリル板５３Ｄの下側の面は、区画壁４２０１Ｄの下端面と面一の位置関係にある。以上の構成により、ＬＥＤ５１の発光による光は、室外側、室内側のそれぞれにおいて、第４実施形態による戸体１Ｃよりも明るく放出される。
【００６４】
以上、本発明の好ましい実施形態について説明したが、本発明は、上述の実施形態に制限されるものではなく、適宜変更が可能である。
例えば、本実施形態においては、戸体１は、屋内に配置される引き戸により構成されたか、引き戸に限定されない。例えば、戸体は、屋外と屋内とを仕切る扉（例えば、引き戸により構成される玄関ドア等）により構成されてもよい。
また、アクリル板５３は乳白色を有していたが、これに限定されず、他の色を有していてもよい。また、アクリル板５３に代えてアクリル板５３と同一形状のガラス板を用いてもよいし、他の半透明な樹脂板を用いてもよいし、和紙等を用いてもよい。
【００６５】
また、室外側と室内側とにＬＥＤ５１の光を放出する構成については、本実施形態における構成に限定されない。
【００６６】
また、室外側と室内側とにおけるＬＥＤ５１の点灯、消灯の制御は、本実施形態における制御部１０５１による制御に限定されない。
例えば、人感センサ１０２による検知に基づき、（１）室外側、室内側において戸体の近傍に人がいる場合にのみＬＥＤ５１を点灯させるか、（２）室外側、室内側の両方においてＬＥＤ５１を点灯させることが可能であることを前提として、ＲＴＣ（リアルタイムクロック）による時刻により、上述の（１）、（２）の制御を行えばよい。または、照度センサを備える構成として、室外側、室内側のいずれかについて照度の低い側（暗い側）については、ＬＥＤ５１に対して光を弱く発光させるように制御させたり、発光しないように制御させたりしてもよい。又は、これらの設定を選択的に行うことができるように、制虚部は制御可能であってもよい。
また、照明部５０は、室外側と室内側との両方にＬＥＤ５１を有していたが、これに限定されない。例えば、照明部５０は、室内側のみＬＥＤ５１を有していて、室外側はＬＥＤ５１を有していなくてもよい。
また、隙間４４０１、４４０２は、それぞれ戸先框４４の上端部から下端部に至るまで形成されていたが、この構成に限定されない。例えば、隙間４４０１、４４０２に代えて小さな貫通孔が複数形成されたパンチングが用いられてもよく、また、導光管が用いられてもよい。
また、照明部は戸先框や戸尻芯材４３と戸先芯材４４との中間の部分に設けられていたが、これに限定されない。例えば、照明部は下框や上框に設けられ、これらの部分が光るよう構成されていてもよい。
また、本実施形態では、上框４１に電源（電池）１０４と、制御基板１０５と、を備えていたが、これに限定されない。例えば、電源（電池）１０４、制御基板１０５は、縦框や下框に設けられていてもよい。また、戸体は、電池を備える構成に限定されない。例えば、戸体は、電池に代えて、電気配線を有して、当該電気配線を通して電気が戸体に供給されてもよい。
【符号の説明】
【００６７】
１…戸体
４４…戸先框
４５…ガラスパネル
５０…照明部
５１…ＬＥＤ
５３…アクリル板
１０１…リードスイッチ
１０２…人感センサ
４４５…照明部収容凹部
４４６…カバー材
１０５１…制御部
４４０９…区画壁
【図１】
2020105829.tif 000003
【図２】
2020105829.tif 000004
【図３】
2020105829.tif 000005
【図４】
2020105829.tif 000006
【図５】
2020105829.tif 000007
【図６】
2020105829.tif 000008
【図７】
2020105829.tif 000009
【図８】
2020105829.tif 000010
【図９】
2020105829.tif 000011
【図１０】
2020105829.tif 000012
【図１１】
2020105829.tif 000013
【図１２】
2020105829.tif 000014
【図１３】
2020105829.tif 000015
【図１４】
2020105829.tif 000016
【図１５】
2020105829.tif 000017
【図１６】
2020105829.tif 000018
【図１７】
2020105829.tif 000019